(57)【要約】【課題】  抜け止め部材を安価に製作し、十分な抜け止め効果が得られ、必要に応じて抜き取ることも可能なアンカーピンを提供する。【解決手段】  このアンカーピン１は、地盤Ｇに埋設される心棒１０と、心棒１０を地盤Ｇに係止する抜け止め部材２０とを備える。心棒１０の下端に先鋭部１２を形成し、心棒１０の上端に金網Ｎを掛止する掛止部１３を折り曲げる。抜け止め部材２０は心棒１０の周囲を螺旋状に延びる線材２１を備える。線材２１の下端に巻付部２２を形成し、線材２１の上端を心棒１０に対して自由にする。巻付部２２を接着剤２３または溶接で心棒２１に固定し、巻付部２２を除く部分の線材２１と心棒１０との間に空隙部２４を形成する。【選択図】        図２
2014058781.tif 000002
【特許請求の範囲】
【請求項１】
地盤に埋設される心棒と、心棒を地盤に係止する抜け止め部材とを備え、抜け止め部材を線材で形成し、線材の少なくとも一端を心棒に固定したことを特徴とするアンカーピン。
【請求項２】
前記抜け止め部材が心棒の周囲を螺旋状に延びる線材を含む請求項１記載のアンカーピン。
【請求項３】
前記線材の地中側端部を心棒に固定し、線材の地表側端部を心棒に対して自由にした請求項１または２記載のアンカーピン。
【請求項４】
前記線材の地中側端部を心棒の周りに少なくとも２回巻き付け、該巻付部を除く部分を心棒に対して自由にした請求項１、２または３記載のアンカーピン。
【請求項５】
前記巻付部を除く部分の線材と心棒との間に空隙部を形成した請求項２，３または４記載のアンカーピン。
【請求項６】
前記巻付部を接着剤で心棒に固定した請求項４または５記載のアンカーピン。
【請求項７】
前記巻付部を溶接により心棒に固定した請求項４または５記載のアンカーピン。
【請求項８】
前記線材が平面渦巻形に形成されている請求項２〜７のいずれか一項に記載のアンカーピン。
【請求項９】
前記線材が有効径よりも大きなピッチのコイル状に形成されている請求項２〜７のいずれか一項に記載のアンカーピン。
【発明の詳細な説明】
【技術分野】
【０００１】
本発明は、地盤にロープ、ネット、シート等を係留するために用いられるアンカーピンに関する。
【背景技術】
【０００２】
従来、地盤に埋設される心棒に抜け止め部を設けたアンカーピンが知られている。例えば、図７に示すように、特許文献１に記載されたアンカーピン５１は、心棒５２の下端部に抜け止め金具５３を備え、抜け止め金具５３に４枚の羽根板５４を形成し、羽根板５４の上端を外側に開いて、引き抜き抵抗を高めることができるように構成されている。
【先行技術文献】
【特許文献】
【０００３】
【特許文献１】特開２０１２−２６１４４号公報
【発明の概要】
【発明が解決しようとする課題】
【０００４】
ところが、従来のアンカーピン５１によると、抜け止め金具５３を板金加工によって製作する必要があり、コストが高くつくという問題点があった。また、いったん打込んだ心棒は、地盤から抜き取ることが困難なため、施工位置を変更したり、再使用したりすることができないという不都合もあった。
【０００５】
そこで、本発明の目的は、抜け止め部材を安価に製作でき、十分な抜け止め効果が得られ、必要に応じて抜き取ることも可能なアンカーピンを提供することにある。
【課題を解決するための手段】
【０００６】
上記課題を解決するために、本発明は次のようなアンカーピンを提供する。
（１）地盤に埋設される心棒と、心棒を地盤に係止する抜け止め部材とを備え、抜け止め部材を線材で形成し、線材の少なくとも一端を心棒に固定したことを特徴とするアンカーピン。
【０００７】
（２）抜け止め部材が心棒の周囲を螺旋状に延びる線材を含むことを特徴とするアンカーピン。
【０００８】
（３）線材の地中側端部を心棒に固定し、線材の地表側端部を心棒に対して自由にしたことを特徴とするアンカーピン。
【０００９】
（４）線材の地中側端部を心棒の周りに少なくとも２回巻き付け、該巻付部を除く部分を心棒に対して自由にしたことを特徴とするアンカーピン。
【００１０】
（５）巻付部を除く部分の線材と心棒との間に空隙部を形成したことを特徴とするアンカーピン。
【００１１】
（６）巻付部を接着剤で心棒に固定したことを特徴とするアンカーピン。
【００１２】
（７）巻付部を溶接により心棒に固定したことを特徴とするアンカーピン。
【００１３】
（８）線材が平面渦巻形に形成されていることを特徴とするアンカーピン。
【００１４】
（９）線材が有効径よりも大きなピッチのコイル状に形成されていることを特徴とするアンカーピン。
【発明の効果】
【００１５】
本発明のアンカーピンによれば、抜け止め部材を螺旋状の線材で形成したので、全体を２部品で安価に製作できるとともに、抜け止め部材が心棒の周囲で地盤を掘削しないようにして、優れた抜け止め効果を発揮できるという利点がある。
【図面の簡単な説明】
【００１６】
【図１】アンカーピンを用いた法面保護工法を例示する斜視図である。
【図２】本発明の一実施形態を示すアンカーピンの側面図である。
【図３】図２のアンカーピンの施工形態を示す断面図である。
【図４】本発明の別の実施形態を示すアンカーピンの側面図である。
【図５】図４のアンカーピンの施工形態を示す断面図である。
【図６】本発明のさらに別の実施形態を示すアンカーピンの側面図である。
【図７】従来のアンカーピンを示す斜視図である。
【発明を実施するための形態】
【００１７】
以下、本発明の実施形態を図面に基づいて説明する。図１に例示する法面保護工法においては、地盤Ｇの法面が金網Ｎで被覆され、金網Ｎの所要箇所が複数本のアンカーピン１によって地盤Ｇに係留されている。アンカーピン１は、金網Ｎのほか、樹脂ネット、ワイヤロープ、シート、マット、土嚢など、各種の法面保護材に適用することができる。
【００１８】
図２に示すように、この実施形態のアンカーピン１は、地盤Ｇに埋設される心棒１０と、心棒１０を地盤Ｇに係止する抜け止め部材２０との２部品で構成されている。心棒１０は地質に応じた太さの鋼棒１１を備え、鋼棒１１の下端に地盤Ｇに突き刺さる先鋭部１２が形成され、鋼棒１１の上端に金網Ｎを掛止する掛止部１３がＬ字形に折り曲げられている。なお、掛止部１３をＴ字形または円盤形に形成することも可能である。
【００１９】
抜け止め部材２０は心棒１０の周囲を螺旋状に延びる鋼製の線材２１を備え、線材２１の下端部（地中側端部）が心棒１０の下端部に数回巻き付けられ、線材２１の上端部（地表側端部）が心棒１０に対して自由動可能となっている。そして、線材２１の巻付部２２が接着剤２３によって先鋭部１２の近傍で心棒１０に固定され、巻付部２２を除く部分の線材２１と心棒１０との間に空隙部２４が設けられている。なお、線材２１の平面形状は、図３（ｂ）に示すように、心棒１０側ほど小径となる渦巻形である。
【００２０】
図３（ａ）に示すように、施工に際しては、先鋭部１２を地盤Ｇに突き刺し、心棒１０を回転し、抜け止め部材２０を地中にねじ込む。このとき、抜け止め部材２０は、螺旋状の線材２１で形成されているので、心棒１０の周りの地盤Ｇを掘削したり、緩めたりするおそれがなく、十分な抜け止め効果を発揮することができる。心棒１０を逆回転すれば、抜け止め部材２０を地盤Ｇから容易に抜き取ることができ、施工位置の変更、再使用が可能となる。
【００２１】
また、線材２１の地表側端部を心棒１０に拘束しないで自由に動ける状態としたので、地盤中に石や岩等の障害物Ｒ（図３ｂ参照）が混在している場合でも、抜け止め部材２０が柔軟に弾性変形して障害物をかわすことができる。加えて、線材２１と心棒１０との間に空隙部２４が設けられているので、抜け止め部材２０と心棒１０の双方間における衝撃伝播を軽減し、アンカーピン１の抜け止め効果をより一層高めることができる。
【００２２】
一方、抜け止め部材２０は線材２１で形成されているため、従来の板金加工による場合と比較し、より安価に製作することができる。特に、線材２１の地中側端部を心棒２１に２回またはそれ以上巻き付けることで、螺旋形の線材２１を心棒１０に対して簡単かつ正確に芯出することができる。しかも、線材２１の巻付部２２を接着剤２３で心棒１０に固定したので、線材２１を歩留りよく心棒１０に組み付けることもでき、もって、アンカーピン１の大量生産が容易となる。
【００２３】
図４、図５に示すアンカーピン２では、抜け止め部材２０に比較的太目の線材２１が用いられている。線材２１は、各部同じ有効径（Ｄ）のコイル状に形成され、コイルピッチ（Ｐ）が有効径（Ｄ）よりも大きく設定されている（Ｐ＞Ｄ）。そして、線材２１の地中側端部に形成された巻付部２２が心棒１０の下端部に接着剤２３で固着され、線材２１の地表側端部が心棒１０に対して自由であり、心棒１０と線材２１との間に空隙部２４が形成されている。
【００２４】
したがって、この実施形態のアンカーピン２によれば、比較的硬質の地盤Ｇに抜け止め部材２０を容易にねじ込み、その地盤中に心棒１０を強固に抜け止め保持することができる。その他の構成および作用効果は図２、図３のアンカーピン１と同じであるため、図面に同じ符号を付して、重複する説明を省略する。
【００２５】
本発明は、上記実施形態に限定されるものではなく、次に例示するように、発明の趣旨を逸脱しない範囲で、各部の形状や構成を適宜に変更して実施することも可能である。
（イ）抜け止め部材２０を心棒１０の長手方向の中間部に設けること。
（ロ）抜け止め部材２０の上下両端部を心棒１０に固定すること。
（ハ）図６（ａ）に示すように、アンカーピン３の抜け止め部材２０を線材２１でＵ字形に形成し、線材２１の中間に設けた巻付部２２を接着剤２３で心棒１０に固定すること。
（ニ）図６（ｂ）に示すように、アンカーピン３の抜け止め部材２０を線材２１でＶ字形に形成し、巻付部２２を接着剤２３で心棒１０に固定すること。
（ホ）図２、図４、図６に示すアンカーピン１，２，３において、線材２１の巻付部２２を溶接により心棒１０に固定すること。
【符号の説明】
【００２６】
１〜３    アンカーピン
１０    心棒
２０    抜け止め部材
２１    線材
２２    巻付部
２３    接着剤
２４    空隙部
Ｇ    地盤
Ｎ    金網
【図１】
2014058781.tif 000003
【図２】
2014058781.tif 000004
【図３】
2014058781.tif 000005
【図４】
2014058781.tif 000006
【図５】
2014058781.tif 000007
【図６】
2014058781.tif 000008
【図７】
2014058781.tif 000009